(57)【要約】【課題】撮像信号処理において、静止画撮像信号及び動画撮像信号の高解像度化により、比較的アクセス速度が遅く消費電力の多い外部メモリへのアクセスが増大し、外部メモリ容量の増大と消費電力の増大という課題があった。【解決手段】静止画及び動画の撮像及び映像信号に対し、外部メモリへ一時記憶させる前に、水平リサイズフィルタと水平垂直リサイズフィルタと小容量で消費電力の少ないワークメモリにより信号処理を行い、外部メモリを使用しないこと、及び外部メモリのアクセス頻度を削減することにより、増大する外部メモリの消費電力を削減し、上記課題を解決した。【選択図】  図１
2004356974.tif 000002
【特許請求の範囲】
【請求項１】
Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタ部の出力信号の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする静止画撮像信号処理装置。
【請求項２】
Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタ部の出力信号の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする動画撮像信号処理装置。
【請求項３】
Ｍ列Ｎ行の解像度を持つ静止画映像信号を入力する静止画映像入力手段と、前記静止画映像入力手段からの出力信号の水平方向のデータＭ列を、任意のｍ（ｍ≦Ｍ）列に縮小する水平リサイズフィルタ部と、前記水平リサイズフィルタ部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする静止画映像信号処理装置。
【請求項４】
Ｍ列Ｎ行の解像度を持つ動画映像信号を入力する動画映像入力手段と、前記動画映像入力手段からの出力信号の水平方向のデータＭ列を、任意のｍ（ｍ≦Ｍ）列に縮小する水平リサイズフィルタ部と、前記水平リサイズフィルタ部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする動画映像信号処理装置。
【請求項５】
Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする静止画撮像信号処理装置。
【請求項６】
Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする動画撮像信号処理装置。
【請求項７】
Ｍ列Ｎ行の解像度を持つ静止画映像信号を入力する静止画映像入力手段と、前記静止画映像入力信号からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする静止画映像信号処理装置。
【請求項８】
Ｍ列Ｎ行の解像度を持つ動画映像信号を入力する動画映像入力手段と、前記動画映像入力手段からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする動画映像信号処理装置。
【請求項９】
Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする静止画撮像信号処理装置。
【請求項１０】
Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶された色情報データを読み出して信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする動画撮像信号処理装置。
【請求項１１】
Ｍ列Ｎ行の解像度を持つ静止画映像信号を入力する静止画映像入力手段と、前記静止画映像入力手段からの出力信号を水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して、任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする静止画映像信号処理装置。
【請求項１２】
Ｍ列Ｎ行の解像度を持つ動画映像信号を入力する動画映像入力手段と、前記動画映像入力手段からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して、任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする動画映像信号処理装置。
【請求項１３】
さらに、前記静止画映像入力手段からの出力信号をそのまま映像出力する静止画出力手段とを備えたことを特徴とする請求項３、７または１１のいずれかに記載の静止画映像信号処理装置。
【請求項１４】
さらに、前記動画映像入力手段からの出力信号をそのまま映像出力する動画出力手段とを備えたことを特徴とする請求項４、８または１２のいずれかに記載の動画映像信号処理装置。
【発明の詳細な説明】
【０００１】
【発明の属する技術分野】
本発明は、映像を撮像する機能、映像信号を記録する機能、及び映像をモニタする機能を有する技術に関するものである。例えばビデオカメラ、ディジタルビデオカメラ、ディジタルスチルカメラ、パソコンカメラ、ＭＰＥＧ２カメラ、ＭＰＥＧ４カメラ、テレビ電話会議用カメラ、アイカメラ、などモバイル撮像ができ、動画又は静止画、又は動画及び静止画を撮像し記録する信号処理に関するものである。
【０００２】
【従来の技術】
従来、ＳＤＲＡＭを使用した静止画撮像信号処理としては、特許文献１に記載の「ディジタルカメラ」、及び特許文献２に記載された「ディジタルカメラ」等が知られている。
【０００３】
図１３に従来の特許文献１に記載の「ディジタルカメラ」の構成を記載している。以下、図１３を用いて構成を説明する。ＣＣＤ１と、ＣＣＤ１からデータを取り出すタイミングを作るタイミングジェネレータＴＧ２１と、タイミングジェネレータＴＧ２１へクロックを供給するシグナルジェネレータＳＧ２２と、ＣＣＤ１のノイズを除去する相関二重サンプリングＣＤＳ（Ｃｏｒｒｅｌａｔｅｄ  Ｄｏｕｂｌｅ  Ｓａｍｐｌｉｎｇ）及びゲインを制御し主に輝度レベルを調整するＣＤＳ／ＡＧＣ１２と、映像信号をディジタル化するＡ／Ｄコンバータ１３と、ディジタル化されたＲＧＢ映像信号を映像信号処理に適したＹＵＶ信号に変換する信号処理１４と、ＳＤＲＡＭメモリ制御を行うメモリ制御１５と、ＳＤＲＡＭメモリ１６と、映像信号を記録するメモリカードＩ／Ｆ２４と、メモリカード２５と、静止画のためのデータ圧縮伸張をするＪＰＥＧコーディック１９と、ＹＵＶデータをコンポジット信号に変換するビデオエンコーダ１８と、キャラクタジェネレータ１７と、表示用モニタ２０と、全体のシステムを制御するＣＰＵ２３と、により構成される。
【０００４】
次に動作原理を同じく図１３を用いて説明する。
【０００５】
タイミングジェネレータＴＧ２１は、ＣＰＵ２３により指示された所定のモード処理制御により、シグナルジェネレータＳＧ２２から出力される水平同期信号と垂直同期信号に基づくタイミング信号を発生し、ＣＣＤ１はこれに基づいて撮像したアナログ映像信号１ｓを生成する。このアナログ映像信号１ｓはＣＤＳ／ＡＧＣ１２によりノイズ除去と最適なレベルまで増幅される。Ａ／Ｄ１３はこのアナログ映像信号１ｓをディジタルに変換する。信号処理１４はこのディジタルＲＧＢ信号をディジタルの輝度色差信号であるＹＵＶ信号へ変換する。ＹＵＶ信号はメモリ制御１５により、一時的にＳＤＲＡＭ１６に高速バーストモードにて一時記憶される。一時記憶されたＹＵＶ信号はそのままでは膨大な量であるので、もしそのままメモリカード２５に保存すると記録可能な静止画の枚数は少なくなってしまう。そこで、静止画の場合においては一旦ＳＤＲＡＭ１６に一時記憶されたＹＵＶ信号データをＪＰＥＧコーディック１９によりＪＰＥＧ圧縮処理し、メモリカードＩ／Ｆ２４を経由してメモリカード２５に記録することにより、メモリカード２５に多くの枚数の静止画を半永久的に保存するようにしている。モニタ表示については、信号処理されたＹＵＶ信号をコンポジットビデオエンコーダ１８によりコンポジット信号に変換してモニタ２０に表示される。
【０００６】
テキストや簡易グラフィカル情報を表示する場合はコンポジットビデオエンコーダ１８でなく、キャラクタジェネレータ１７で生成されたデータをスイッチしてモニタ２０に表示する。このようにＳＤＲＡＭ１６に一時記憶された１枚の静止画モードで撮像した映像信号は、圧縮率の低いＪＰＥＧなどの第１の圧縮方法を用いて圧縮し、高解像度の静止画をメモリカード２５に保存することができる。またＳＤＲＡＭ１６に一時記憶された複数枚の動画モードで撮像した映像信号は、圧縮率の高いモーションＪＰＥＧなどの第２の圧縮方法を用いて、低解像度の複数枚の動画相当である静止画をメモリカード２５に保存することができる。このように２種類の圧縮方法を用いることにより、高解像度静止画と低解像度静止画の両方に対応したディジタルスチルカメラを実現した。
【０００７】
【特許文献１】
特許第３２６３６７４号公報
【特許文献２】
特開２０００−２３１００２号公報
【０００８】
【発明が解決しようとする課題】
この従来例においては、ＳＤＲＡＭに一時的に記憶された静止画を読み出してきて、適した圧縮方法により圧縮してメモリカードに半永久記録する。このときＳＤＲＡＭへのアクセス回数は、撮像後１回ライトアクセスし、その後、ＳＤＲＡＭから１回リードアクセスする合計２回である。ＳＤＲＡＭがバッファとして使用されているためメモリ容量が多く必要となるとともに、ＳＤＲＡＭアクセスが最低でも２回必要となり、消費電力が多くなるという課題があった。また近年技術の発展によりメガピクセル対応の高解像度ＣＣＤを使用するため、ますます一時記憶用ＳＤＲＡＭの容量が増加し、さらに静止画の連写撮影を行おうとするとますますＳＤＲＡＭ容量が増加するという課題があった。本発明の目的とするところは、ＳＤＲＡＭを使用しないように工夫することによりＳＤＲＡＭアクセスに必要な消費電力を削減することと、さらにどうしてもＳＤＲＡＭを使用しないと信号処理ができない場合はそのＳＤＲＡＭのアクセス回数を低減する信号処理を実現することにより、消費電力を削減すること、である。
【０００９】
【課題を解決するための手段】
この課題を解決するために、本発明の請求項１記載の静止画撮像信号処理装置は、Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタ部の出力信号の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする。
【００１０】
静止画撮像信号処理において消費電力の多い外部メモリを使用せずに、ワークメモリとフィルタのみで信号処理を行うので、消費電力を削減できる作用を有する。またアクセス速度の遅い外部メモリを使用せず、必要最小限の容量を持ったアクセス速度の速いワークメモリとフィルタのみで信号処理を行うので高速処理を実現する作用を有する。
【００１１】
本発明の請求項２に記載の動画撮像信号処理装置は、Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタ部の出力信号の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする。
【００１２】
動画撮像信号処理において消費電力の多い外部メモリを使用せずに、ワークメモリとフィルタのみで信号処理を行うので、消費電力を削減できる作用を有する。またアクセス速度の遅い外部メモリを使用せず、必要最小限の容量を持ったアクセス速度の速いワークメモリとフィルタのみで信号処理を行うので高速処理を実現する作用を有する。
【００１３】
請求項３に記載の静止画映像信号処理装置は、Ｍ列Ｎ行の解像度を持つ静止画映像信号を入力する静止画映像入力手段と、前記静止画映像入力手段からの出力信号の水平方向のデータＭ列を、任意のｍ（ｍ≦Ｍ）列に縮小する水平リサイズフィルタ部と、前記水平リサイズフィルタ部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする。
【００１４】
静止画映像信号処理において消費電力の多い外部メモリを使用せずに、ワークメモリとフィルタのみで信号処理を行うので、消費電力を削減できる作用を有する。またアクセス速度の遅い外部メモリを使用せず、必要最小限の容量を持ったアクセス速度の速いワークメモリとフィルタのみで信号処理を行うので高速処理を実現する作用を有する。
【００１５】
請求項４に記載の動画映像信号処理装置は、Ｍ列Ｎ行の解像度を持つ動画映像信号を入力する動画映像入力手段と、前記動画映像入力手段からの出力信号の水平方向のデータＭ列を、任意のｍ（ｍ≦Ｍ）列に縮小する水平リサイズフィルタ部と、前記水平リサイズフィルタ部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、を有することを特徴とする。
【００１６】
動画映像信号処理において消費電力の多い外部メモリを使用せずに、ワークメモリとフィルタのみで信号処理を行うので、消費電力を削減できる作用を有する。またアクセス速度の遅い外部メモリを使用せず、必要最小限の容量を持ったアクセス速度の速いワークメモリとフィルタのみで信号処理を行うので高速処理を実現する作用を有する。
【００１７】
請求項５に記載の静止画撮像信号処理装置は、Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする。
【００１８】
静止画撮像信号処理において消費電力の多い外部メモリへ一時記憶するデータ量をワークメモリとフィルタの信号処理で低減するので、合計の消費電力を削減できる作用を有する。
【００１９】
請求項６に記載の動画撮像信号処理装置は、Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力の色情報を信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする。
【００２０】
動画撮像信号処理において消費電力の多い外部メモリへ一時記憶するデータ量をワークメモリとフィルタの信号処理で低減するので、合計の消費電力を削減できる作用を有する。
【００２１】
請求項７に記載の静止画映像信号処理装置は、Ｍ列Ｎ行の解像度を持つ静止画映像信号を入力する静止画映像入力手段と、前記静止画映像入力信号からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする。
【００２２】
静止画映像信号処理において消費電力の多い外部メモリへ一時記憶するデータ量をワークメモリとフィルタの信号処理で低減するので、合計の消費電力を削減できる作用を有する。
【００２３】
請求項８に記載の動画映像信号処理装置は、Ｍ列Ｎ行の解像度を持つ動画映像信号を入力する動画映像入力手段と、前記動画映像入力手段からの出力信号の水平方向のデータＭ列を任意のｍ（ｍ≦Ｍ）列に縮小する水平リサイズフィルタ部と、前記水平リサイズフィルタの出力信号を一時記憶するＳＤＲＡＭ−Ａと、前記ＳＤＲＡＭ−Ａに一時記憶されたデータ出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を一時記憶するＳＤＲＡＭ−Ｂと、を有することを特徴とする。
【００２４】
動画映像信号処理において消費電力の多い外部メモリへ一時記憶するデータ量をワークメモリとフィルタの信号処理で低減するので、合計の消費電力を削減できる作用を有する。
【００２５】
請求項９に記載の静止画撮像信号処理装置は、Ｍ列Ｎ行の解像度を持つ静止画撮像信号を信号処理する静止画撮像入力処理部と、前記静止画撮像入力処理部からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする。
【００２６】
静止画撮像信号処理において消費電力の多い外部メモリへ一時記憶するデータ量をワークメモリとフィルタの信号処理で低減するので、合計の消費電力を削減できる作用を有する。さらにＳＤＲＡＭに一時記憶するときに空けたブロックに信号処理後のデータを優先的に一時記憶することができるので、ＳＤＲＡＭを１つの素子で構成できる作用を有する。さらにＳＤＲＡＭの読むアドレスと書くアドレスを部分的にずらしてオーバーラップが可能であり、しかも書く容量を読む容量より小さくできるのでＳＤＲＡＭの合計の容量を削減できる作用を有する。
【００２７】
請求項１０に記載の動画撮像信号処理装置は、Ｍ列Ｎ行の解像度を持つ動画撮像信号を信号処理する動画撮像入力処理部と、前記動画撮像入力処理部からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶された色情報データを読み出して信号処理する色処理部と、前記色処理部の出力信号を任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする。
【００２８】
動画撮像信号処理において消費電力の多いＳＤＲＡＭへ一時記憶するデータ量をワークメモリとフィルタの信号処理で低減するので、合計の消費電力を削減できる作用を有する。さらにＳＤＲＡＭに一時記憶するときに空けたブロックに信号処理後のデータを優先的に一時記憶することができるので、ＳＤＲＡＭを１つの素子で構成できる作用を有する。さらにＳＤＲＡＭの読むアドレスと書くアドレスを部分的にずらしてオーバーラップが可能であり、しかも書く容量を読む容量より小さくできるのでＳＤＲＡＭの合計の容量を削減できる作用を有する。
【００２９】
請求項１１に記載の静止画映像信号処理装置は、Ｍ列Ｎ行の解像度を持つ静止画映像信号を入力する静止画映像入力手段と、前記静止画映像入力手段からの出力信号を水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して、任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする。
【００３０】
静止画映像信号処理において消費電力の多いＳＤＲＡＭへ一時記憶するデータ量をワークメモリとフィルタの信号処理で低減するので、合計の消費電力を削減できる作用を有する。さらにＳＤＲＡＭに一時記憶するときに空けたブロックに信号処理後のデータを優先的に一時記憶することができるので、ＳＤＲＡＭを１つの素子で構成できる作用を有する。さらにＳＤＲＡＭの読むアドレスと書くアドレスを部分的にずらしてオーバーラップが可能であり、しかも書く容量を読む容量より小さくできるのでＳＤＲＡＭの合計の容量を削減できる作用を有する。
【００３１】
請求項１２に記載の動画映像信号処理装置は、Ｍ列Ｎ行の解像度を持つ動画映像信号を入力する動画映像入力手段と、前記動画映像入力手段からの出力信号の水平方向のデータＭ列を任意のｍ（ｍ≦Ｍ）列に縮小する水平リサイズフィルタ部と、前記水平リサイズフィルタの出力信号をｎ個のエリアに短冊状に分割して部分的にブロックを空けて一時記憶するＳＤＲＡＭと、前記ＳＤＲＡＭに一時記憶されたデータを読み出して、任意のＰ列Ｒ行（Ｐ≦ｍ≦Ｍ，Ｒ≦Ｎ）にリサイズ変換する水平垂直リサイズフィルタ部と、前記水平垂直リサイズフィルタワークメモリ部と、前記水平垂直リサイズフィルタ部の出力を前記ＳＤＲＡＭにおいて空けたブロックへ優先して一時記憶するＳＤＲＡＭと、を有することを特徴とする。
【００３２】
動画映像信号処理において消費電力の多いＳＤＲＡＭへ一時記憶するデータ量をワークメモリとフィルタの信号処理で低減するので、合計の消費電力を削減できる作用を有する。さらにＳＤＲＡＭに一時記憶するときに空けたブロックに信号処理後のデータを優先的に一時記憶することができるので、ＳＤＲＡＭを１つの素子で構成できる作用を有する。さらにＳＤＲＡＭの読むアドレスと書くアドレスを部分的にずらしてオーバーラップが可能であり、しかも書く容量を読む容量より小さくできるのでＳＤＲＡＭの合計の容量を削減できる作用を有する。
【００３３】
請求項１３記載の静止画映像信号処理装置は、さらに、前記静止画映像入力手段からの出力信号をそのまま映像出力する静止画出力手段とを備えたことを特徴とする。
【００３４】
請求項１４記載の動画映像信号処理装置は、さらに、前記動画映像入力手段からの出力信号をそのまま映像出力する動画出力手段とを備えたことを特徴とする。
【００３５】
【発明の実施の形態】
以下、本発明の実施の形態について、図１から図１２を用いて説明する。
【００３６】
なお、本明細書において国際標準規格ＩＴＵ−Ｒ  ＢＴ．６５６準拠ディジタル画像信号は以下ＩＴＵ６５６と略す。
【００３７】
（実施の形態１）
本発明の静止画撮像モードにおける撮像信号処理の一実施の形態を示す。図１は本発明の静止画撮像モードにおける信号処理ブロック構成図である。図２は静止画撮像モードにおける信号処理を示す。以下に構成を説明する。
【００３８】
ＣＣＤ１などの撮像素子（解像度Ｍ列Ｎ行１秒あたりＱフレームの源信号）と、ＣＤＳ／ＡＧＣ１２とＡ／Ｄコンバータ１３とＲＧＢからＹＵＶ変換２９を１ブロックとした撮像入力処理２と、ＳＧ２２と、ＴＧ２１と、水平方向のリサイズを行う水平リサイズフィルタ３と、γ補正などを行う色処理部４と、水平垂直方向にリサイズ変換するリサイズ変換フィルタ５と、そのリサイズ処理において、ワークエリアとして使用されるワークメモリ６と、ビデオエンコーダ１８と、メモリカードＩ／Ｆ２４と、メモリカード２５と、ビデオデコーダ２８と、ＹＵＶからＲＧＢへ変換３０と、モニタ２０と、ＣＰＵ２３と、設定スイッチ２６と、撮像シャッタースイッチ２７と、から構成される。なおＹＵＶとはＹ：輝度信号、Ｕ：色差信号Ｃｂ、Ｖ：色差信号Ｃｒのことですべてディジタル信号である。
【００３９】
次に動作を説明する。まず設定スイッチ２６によるプリセット条件が低解像度の静止画及び中解像度の静止画に設定されている場合を説明する。ＣＣＤ１からの入力源信号はＭ列Ｎ行で１秒あたりＱフレームの動画ＲＧＢ信号である。このとき図２に示すように撮像動画信号１ｓにおける１フレームのデータ量はＭ×Ｎ×３ＲＧＢとなる。この撮像動画信号１ｓは撮像入力処理２によりノイズ除去＆ゲイン制御１２とＡ／Ｄ変換１３とＲＧＢからＹＵＶへの変換２９が行われ、水平リサイズフィルタ３へ入る。ＲＧＢからＹＵＶへの変換２９においてはＲＧＢ信号をＹＵＶ信号４：２：２にＩＴＵ−Ｒ  ＢＴ．６０１の規格にしたがって変換する。なおＹＵＶ変換４：２：０等を行っても構わない。なおＣＣＤが補色ＣＣＤの場合はＲＧＢへ変換後ＹＵＶ変換を行う。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。このリサイズされた信号３ｓは、色信号処理４において人間の色感度にあわせるためにγ補正が行われる。その後水平垂直リサイズ変換フィルタ５に入る。ビデオエンコーダ１８により例えばＪＰＥＧへのエンコーダが行われる。こうしてエンコードされたＪＰＥＧデータは設定スイッチ２６によるプリセット条件に従い、撮像シャッタースイッチ２７が押されると、ＣＰＵ２３が制御信号をメモリカードＩ／Ｆ２４に送りＩ／Ｆをアクティブにすることによりメモリカード２５に１フレームの静止画を記録する。
【００４０】
またビデオエンコーダ１８から出力されたデータはビデオデコーダ２８によりモニタ２０の解像度にデコードされることにより、モニタに静止画を表示する。
【００４１】
設定スイッチ２６によるプリセット条件が０．５秒ごとの連写に設定されている場合は、撮像シャッタースイッチ２７が押されている間、０．５秒ごとに１フレームずつメモリカードＩ／Ｆ２４からメモリカード２５に記録する。と同時にビデオデコーダ２８によりデコードされ、モニタ２０に０．５秒ごとに更新表示する。
【００４２】
次に設定スイッチ２６によるプリセット条件が、高解像度静止画モードのときは、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５を素通りする。つまりここでもリサイズ処理をしない。これによりＣＣＤの元画素に相当する高解像度の画素をそのままＪＰＥＧビデオエンコーダ１８によりメモリカードＩ／Ｆ２４経由でメモリカード２５へ１フレーム記録する。なおモニタ表示する際において、その解像度を表示できない場合はＣＰＵ２３の指示によりビデオデコーダ２８で表示に適した解像度にデコードされて表示される。
【００４３】
次に設定スイッチ２６によるプリセット条件が、２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これによりＣＣＤの元画素に相当する高解像度の画素の縦及び横それぞれ２倍にリサイズされる。このデータはＪＰＥＧビデオエンコーダ１８によりメモリカードＩ／Ｆ２４経由でメモリカード２５へ１フレーム静止画として記録する。なおモニタ表示する際において、その解像度をそのまま表示できない場合はＣＰＵ２３の指示に従い、ビデオデコーダ２８において所望の表示エリアのみ表示に適した解像度にデコードして表示される。
【００４４】
このようにＳＤＲＡＭなどの外部メモリを使用せずに、水平信号を処理する入力用ピクセルバッファと出力用ピクセルバッファ及び垂直信号を処理する入力用ラインバッファと出力用ラインバッファのみで信号処理を行う。このバッファは外部メモリより高速で、容量が小さく、消費電力が少ないメモリで例えばＳＲＡＭにより構成され、撮像入力処理２、水平リサイズフィルタ３、色処理部４、水平垂直リサイズフィルタ５、ＣＰＵ２３、ビデオエンコーダ１８、メモリカードＩ／Ｆ２４、ビデオデコーダ２８、ＹＵＶからＲＧＢ変換３０、ＴＧ２１、ＳＧ２２と同じＬＳＩ内部に構成することができる。またＣＣＤ１の代わりにＣＭＯＳ撮像素子を使用すると、ＣＭＯＳ撮像素子１も含めてすべて１つのＬＳＩに、つまりシステムＬＳＩとして構成することができる。
【００４５】
このようにワークメモリをシステムＬＳＩに構成し、信号処理の過程で外部メモリへのアクセスをなくすことにより、外部メモリで消費していた消費電力を大幅に削減することができる。また外部メモリを使用する場合はバーストメモリアクセスを用いてもメモリアクセス時間がかかるが、内部メモリを使用することにより高速にアクセスが可能で、静止画撮像時のプレビュー処理と、連写処理と、高解像度の信号処理と、ズーム処理と、の信号処理が高速に行える。
【００４６】
（実施の形態２）
本発明の動画撮像モードにおける撮像信号処理の一実施の形態を示す。図１は本発明の動画撮像モードにおける信号処理ブロック構成図である。図２は動画撮像モードにおける信号処理を示す。
【００４７】
まず構成を説明する。構成はビデオエンコーダ１８とビデオデコーダ２８が動画処理用の例えばＭＰＥＧ２又はＭＰＥＧ４であることと、扱う信号とデータが動画である点を除けば実施の形態１と同じであるので説明は省略する。
【００４８】
次に動作を説明する。まず設定スイッチ２６によるプリセット条件が低解像度の動画及び中解像度の動画に設定されている場合を説明する。ＣＣＤ１からの入力源信号はＭ列Ｎ行で１秒あたりＱフレームの動画ＲＧＢ信号である。このとき図２に示すように撮像動画信号１ｓにおける１フレームのデータ量はＭ×Ｎ×３ＲＧＢとなる。この撮像動画信号１ｓは撮像入力処理２によりノイズ除去＆ゲイン制御１２とＡ／Ｄ変換１３とＲＧＢからＹＵＶへの変換２９が行われ、その撮像入力処理された撮像入力処理出力信号２ｓは、水平リサイズフィルタ３へ入る。ＲＧＢからＹＵＶへの変換２９においてはＲＧＢ信号をＹＵＶ信号４：２：２にＩＴＵ−Ｒ  ＢＴ．６０１の規格にしたがって変換する。なおＹＵＶ変換４：２：０等を行っても構わない。なおＣＣＤが補色ＣＣＤの場合はＲＧＢへ変換後ＹＵＶ変換を行う。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。このリサイズされた信号３ｓは、色信号処理４において人間の色感度にあわせるためにγ補正が行われる。色処理された色処理出力信号４ｓはその後水平垂直リサイズ変換フィルタ５に入る。水平垂直リサイズ変換フィルタ５からの出力される水平垂直リサイズ変換フィルタ出力信号５ｓはビデオエンコーダ１８により例えばＭＰＥＧ４へのエンコーダが行われる。こうしてエンコードされたＭＰＥＧ４データは設定スイッチ２６によるプリセット条件に従い、撮像シャッタースイッチ２７が押され、押され続けている間、ＣＰＵ２３が制御信号をメモリカードＩ／Ｆ２４に送りＩ／Ｆをアクティブにすることによりメモリカード２５に連続したフレームの動画を記録する。
【００４９】
またビデオエンコーダ１８から出力されたデータはビデオデコーダ２８によりモニタ２０の解像度にデコードされることにより、モニタに動画を表示する。
【００５０】
次に設定スイッチ２６によるプリセット条件が、高解像度動画モードのときは、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５を素通りする。つまりここでもリサイズ処理をしない。これによりＣＣＤの元画素に相当する高解像度の画素をそのまま今度はＭＰＥＧ２エンコーダ１８によりメモリカードＩ／Ｆ２４経由でメモリカード２５へ連続フレームを記録する。なおモニタ表示する際において、その解像度を表示できない場合はＣＰＵ２３の指示によりＭＰＥＧ２デコーダ２８でデコードされて表示される。
【００５１】
次に設定スイッチ２６によるプリセット条件が、２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これによりＣＣＤの元画素に相当する高解像度の画素の縦及び横それぞれ２倍にリサイズされる。このデータはＭＰＥＧ２エンコーダ１８によりメモリカードＩ／Ｆ２４経由でメモリカード２５へ連続動画として記録する。なおモニタ表示する際において、その解像度をそのまま表示できない場合はＣＰＵ２３の指示に従い、ビデオデコーダ２８において所望の解像度にデコードして表示される。
【００５２】
このようにＳＤＲＡＭなどの外部メモリを使用せずに、水平信号を処理する入力用ピクセルバッファと出力用ピクセルバッファ及び垂直信号を処理する入力用ラインバッファと出力用ラインバッファのみで信号処理を行う。このバッファは外部メモリより高速で、容量が小さく、消費電力が少ないメモリで例えばＳＲＡＭにより構成され、撮像入力処理２、水平リサイズフィルタ３、色処理部４、水平垂直リサイズフィルタ５、ＣＰＵ２３、ビデオエンコーダ１８、メモリカードＩ／Ｆ２４、ビデオデコーダ２８、ＹＵＶからＲＧＢ変換３０、ＴＧ２１、ＳＧ２２と同じＬＳＩ内部に構成することができる。またＣＣＤ１の代わりにＣＭＯＳ撮像素子を使用すると、ＣＭＯＳ撮像素子１も含めてすべて１つのＬＳＩに、つまりシステムＬＳＩとして構成することができる。
【００５３】
このようにワークメモリをシステムＬＳＩに構成し、信号処理の過程で外部メモリへのアクセスをなくすことにより、外部メモリで消費していた消費電力を大幅に削減することができる。また外部メモリを使用する場合はバーストメモリアクセスを用いてもメモリアクセス時間がかかるが、内部メモリを使用することにより高速にアクセスが可能で、動画処理のプレビュー処理と、高解像度の信号処理と、ズーム処理等の信号処理が高速に行える。
【００５４】
（実施の形態３）
本発明の静止画映像モードにおける映像信号処理の一実施の形態を示す。図３は本発明の静止画映像モードにおける信号処理ブロック構成図である。図４は静止画映像モードにおける信号処理を示す。まず構成を説明する。
【００５５】
テレビ信号やビデオ信号などの映像信号（解像度Ｍ列Ｎ行１秒あたりＱフレームの源ＹＵＶ信号）を入力する映像入力装置７と、そのＹＵＶ信号をモニタする映像出力装置８と、水平方向のリサイズを行う水平リサイズフィルタ３と、水平垂直方向にリサイズ変換する水平垂直リサイズフィルタ５と、そのリサイズ処理にワークエリアとして使用されるワークメモリ６と、ビデオエンコーダ１８と、ビデオデコーダ２８と、ＹＵＶからＲＧＢへの変換３０と、ＣＰＵ２３と、メモリカードＩ／Ｆ２４と、メモリカード２５と、設定スイッチ２６と、撮像シャッタースイッチ２７と、モニタ２０とから構成される。
【００５６】
次に動作を説明する。まず設定スイッチ２６によるプリセット条件が低解像度の静止画及び中解像度の静止画に設定されている場合を説明する。映像入力装置７からの入力源信号７ｓはＭ列Ｎ行で１秒あたりＱフレームの動画ＹＵＶ信号である。このとき図４に示すように撮像動画信号７ｓにおける１フレームのデータ量はＭ×Ｎとなる。この映像信号７ｓは映像出力装置８と水平リサイズフィルタ３へ入る。映像出力装置８においては視覚映像に変換してモニタすることができる。また動画信号７ｓは、水平リサイズフィルタ３へ入る。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。その後水平垂直リサイズフィルタ５に入る。この水平垂直リサイズフィルタ５においては、画素数の拡大リサイズ又は縮小リサイズが行われる。なおＹＵＶとはＹ：輝度信号、Ｕ：色差信号Ｃｂ、Ｖ：色差信号Ｃｒのことですべてディジタル信号である。ビデオエンコーダ１８により例えばＪＰＥＧへのエンコーダが行われる。エンコードされたＪＰＥＧデータは設定スイッチ２６によるプリセット条件に従い、撮像シャッタースイッチ２７が押されたのをトリガとして、ＣＰＵ２３が制御信号をメモリカードＩ／Ｆ２４に送り、メモリカード２５に１フレームの静止画を記録する。
【００５７】
またビデオエンコーダ１８から出力されたデータはビデオデコーダ２８によりモニタ２０の解像度に変換されることにより、見ることができる。
【００５８】
設定スイッチ２６によるプリセット条件が、例えば０．５秒ごとの連写に設定されている場合は、撮像シャッタースイッチ２７が押されている間、０．５秒ごとに１フレームずつメモリカードＩ／Ｆ２４経由でメモリカード２５に記録する。と同時にビデオデコーダ２８によりモニタ２０に０．５秒ごとに表示する。
【００５９】
次に設定スイッチ２６によるプリセット条件が、高解像度静止画モードのときは、ＣＰＵ２３の指示により、水平リサイズフィルタ３はリサイズ処理をしない。つまりｍ列（ｍ＝Ｍ）のまま信号をスルーさせる。また水平垂直リサイズフィルタ５もリサイズ処理をしない。これにより映像入力装置より入力した映像信号７ｓに相当する高解像度の画素をそのままＪＰＥＧビデオエンコーダ１８によりメモリカードＩ／Ｆ２４経由でメモリカード２５へ１フレーム記録する。なおモニタ表示する際において、その解像度を表示できない場合はＣＰＵ２３によりビデオデコーダ２８においてデコードし表示をする。
【００６０】
次に設定スイッチ２６によるプリセット条件が、例えば２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これにより入力した映像信号７ｓに相当する高解像度の画素の縦及び横の２倍にリサイズをして、ＪＰＥＧビデオエンコーダ１８によりメモリカードＩ／Ｆ２４経由でメモリカード２５へ１フレーム記録する。なおモニタ表示する際において、その解像度をそのまま表示できない場合はＣＰＵ２３によりビデオデコーダ２８においてデコードする。なおズームは縮小と拡大とも連続して行うことができる。
【００６１】
このようにＳＤＲＡＭなどの外部メモリを使用せずに、水平信号を処理する入力用ピクセルバッファと出力用ピクセルバッファ及び垂直信号を処理する入力用ラインバッファと出力用ラインバッファのみで信号処理を行う。このバッファは外部メモリより高速で、容量が小さく、消費電力が少ないメモリで例えばＳＲＡＭにより構成され、水平リサイズフィルタ３、水平垂直リサイズフィルタ５、ＣＰＵ２３、ビデオエンコーダ１８、メモリカードＩ／Ｆ２４、ビデオデコーダ２８、ＹＵＶからＲＧＢ変換３０と同じＬＳＩ内部に構成することができる。
【００６２】
このようにワークメモリをシステムＬＳＩに構成し、信号処理の過程で外部メモリへのアクセスをなくすことにより、外部メモリで消費していた消費電力を大幅に削減することができる。また外部メモリを使用する場合はバーストメモリアクセスを用いてもメモリアクセス時間がかかるが、内部メモリを使用することにより高速にアクセスが可能で、静止画撮像時のプレビュー処理と、連写処理と、高解像度の信号処理と、ズーム処理と、を高速に行える。
【００６３】
（実施の形態４）
本発明の動画映像モードにおける映像信号処理の一実施の形態を示す。図３は本発明の動画映像モードにおける信号処理ブロック構成図である。図４は動画映像モードにおける信号処理を示す。まず構成を説明する。構成はビデオエンコーダ１８とビデオデコーダ２８が動画処理用の例えばＭＰＥＧ２又はＭＰＥＧ４であることと、扱う信号とデータが動画である点を除けば実施の形態３と同じであるので説明は省略する。
【００６４】
次に動作を説明する。まず設定スイッチ２６によるプリセット条件が低解像度の動画及び中解像度の動画に設定されている場合を説明する。映像入力装置７からの入力源信号７ｓはＭ列Ｎ行で１秒あたりＱフレームの動画ＹＵＶ信号である。このとき図４に示すように撮像動画信号７ｓにおける１フレームのデータ量はＭ×Ｎとなる。この映像信号７ｓは映像出力装置８と水平リサイズフィルタ３へ入る。映像出力装置８においては視覚映像に変換してモニタすることができる。この動画信号７ｓは、水平リサイズフィルタ３へ入る。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。その後水平垂直リサイズフィルタ５に入る。この水平垂直リサイズフィルタ５においては、画素数の拡大リサイズと縮小リサイズが行われる。
【００６５】
なおＹＵＶとはＹ：輝度信号、Ｕ：色差信号Ｃｂ、Ｖ：色差信号Ｃｒのことである。ビデオエンコーダ１８により例えばＭＰＥＧ４へのエンコーダが行われる。こうしてエンコードされたＭＰＥＧデータは設定スイッチ２６によるプリセット条件及び撮像シャッタースイッチ２７を押すと、ＣＰＵ２３が制御信号をメモリカードＩ／Ｆ２４に送りＩ／Ｆをアクティブにすることによりメモリカード２５に１フレームの動画を記録する。
【００６６】
またビデオエンコーダ１８から出力されたデータはビデオデコーダ２８によりデコードされることによりモニタ２０に動画表示される。
【００６７】
次に設定スイッチ２６によるプリセット条件が、高解像度静止画モードのときは、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５を素通りする。つまりここでもリサイズ処理をしない。これによりＣＣＤの元画素に相当する高解像度の画素をそのまま今度はＭＰＥＧ２エンコーダ１８によりメモリカードＩ／Ｆ２４経由でメモリカード２５へ連続フレームを記録する。なおモニタ表示する際において、その解像度を表示できない場合はＣＰＵ２３の指示によりＭＰＥＧ２デコーダ２８でデコードされて表示される。
【００６８】
次に設定スイッチ２６によるプリセット条件が、２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これによりＣＣＤの元画素に相当する高解像度の画素の縦及び横それぞれ２倍にリサイズされる。このデータはＭＰＥＧ２エンコーダ１８によりメモリカードＩ／Ｆ２４経由でメモリカード２５へ連続動画として記録する。なおモニタ表示する際において、その解像度をそのまま表示できない場合はＣＰＵ２３の指示に従い、ビデオデコーダ２８において所望の解像度にデコードして表示される。
【００６９】
このようにＳＤＲＡＭなどの外部メモリを使用せずに、水平信号を処理する入力用ピクセルバッファと出力用ピクセルバッファ及び垂直信号を処理する入力用ラインバッファと出力用ラインバッファのみで信号処理を行う。このバッファは外部メモリより高速で、容量が小さく、消費電力が少ないメモリで例えばＳＲＡＭにより構成され、水平リサイズフィルタ３、水平垂直リサイズフィルタ５、ＣＰＵ２３、ビデオエンコーダ１８、メモリカードＩ／Ｆ２４、ビデオデコーダ２８、ＹＵＶからＲＧＢ変換３０、と同じＬＳＩ内部に構成することができる。またＣＣＤ１の代わりにＣＭＯＳ撮像素子を使用すると、ＣＭＯＳ撮像素子１も含めてすべて１つのＬＳＩにてシステムＬＳＩとして構成することができる。
【００７０】
このようにワークメモリをシステムＬＳＩに構成し、信号処理の過程で外部メモリへのアクセスをなくすことにより、外部メモリで消費していた消費電力を大幅に削減することができる。また外部メモリを使用する場合はバーストメモリアクセスを用いてもメモリアクセス時間がかかるが、内部メモリを使用することにより高速にアクセスが可能で、動画処理のプレビュー処理と、高解像度の信号処理と、ズーム処理等の信号処理が高速に行える。
【００７１】
（実施の形態５）
本発明の静止画撮像モードにおける撮像信号処理の一実施の形態を示す。図５は本発明の静止画撮像モードにおける信号処理ブロック構成図である。図６は静止画撮像モードにおける信号処理を示す。まず構成を説明する。
【００７２】
ＣＣＤ１などの撮像素子（解像度Ｍ列Ｎ行１秒あたりＱフレームの源信号）と、ＣＤＳ／ＡＧＣ１２とＡ／Ｄコンバータ１３とＲＧＢからＹＵＶ変換２９を１ブロックとした撮像入力処理２と、ＳＧ２２と、ＴＧ２１と、水平方向のリサイズを行う水平リサイズフィルタ３と、γ補正などを行う色処理部４と、データをリアルタイムに一時記憶するＳＤＲＡＭ−Ａ９と、そのメモリ制御３３Ａと、水平垂直方向にリサイズ変換するリサイズ変換フィルタ５と、そのリサイズ処理において、ワークエリアとして使用されるワークメモリ６と、ビデオエンコーダ１８と、ビデオエンコーダ１８の信号を一時記憶するＳＤＲＡＭ−Ｂ１０と、そのメモリ制御３３Ｂと、メモリカードＩ／Ｆ２４と、メモリカード２５と、ビデオデコーダ２８と、ＹＵＶからＲＧＢへ変換３０と、モニタ２０と、Ｉ／Ｏインターフェース（Ｉ／ＯＩ／Ｆと略す）３１と、通信Ｉ／Ｆ３２と、ＣＰＵ２３と、設定スイッチ２６と、撮像シャッタースイッチ２７と、から構成される。なおＹＵＶとはＹ：輝度信号、Ｕ：色差信号Ｃｂ、Ｖ：色差信号Ｃｒのことですべてディジタル信号である。
【００７３】
次に動作を説明する。まず設定スイッチ２６によるプリセット条件が低解像度の静止画及び中解像度の静止画に設定されている場合を説明する。ＣＣＤ１からの入力源信号はＭ列Ｎ行で１秒あたりＱフレームの動画ＲＧＢ信号である。このとき図６に示すように撮像動画信号１ｓにおける１フレームのデータ量はＭ×Ｎ×３ＲＧＢとなる。この撮像動画信号１ｓは撮像入力処理２によりノイズ除去＆ゲイン制御１２とＡ／Ｄ変換１３とＲＧＢからＹＵＶへの変換２９が行われ、水平リサイズフィルタ３へ入る。ＲＧＢからＹＵＶへの変換２９においてはＲＧＢ信号をＹＵＶ信号４：２：２にＩＴＵ−Ｒ  ＢＴ．６０１の規格にしたがって変換する。なおＣＣＤが補色ＣＣＤの場合はＲＧＢ補色に対してＹＵＶ変換を行う。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。そのデータはリアルタイムにＳＤＲＡＭ−Ａ９に一時記憶される。これによりＣＣＤ１からの入力をＳＤＲＡＭ−Ａ９にリアルタイムにすべて一時記憶し、その後、ＳＤＲＡＭ−Ａ９からノンリアルタイムにデータを読み出すことができる。これにより解像度が低いときはＳＤＲＡＭのアクセス速度が遅いものが使用可能である。
【００７４】
こうしてＳＤＲＡＭ−Ａ９から読み出された信号９ｓは、色信号処理４において人間の色感度にあわせるためにγ補正が行われ、水平垂直リサイズ変換フィルタ５に入る。このときワーク内蔵メモリ６を利用することによりリサイズを行う。ビデオエンコーダ１８により例えばＪＰＥＧへのエンコードが行われる。エンコードされたＪＰＥＧデータは設定スイッチ２６によるプリセット条件と撮像シャッタースイッチ２７を押されたトリガ信号により、ＣＰＵ２３が制御信号をメモリカードＩ／Ｆ２４に送りＩ／Ｆをアクティブにすることによりメモリカード２５に１フレームの静止画を記録する。
【００７５】
またビデオエンコーダ１８から出力されたデータはビデオデコーダ２８によりモニタ２０の解像度にデコード及び変換されることにより、モニタ２０に表示される。
【００７６】
さらにＪＰＥＧビデオエンコーダ１８から出力された信号１８ｓはＳＤＲＡＭ−Ｂ１０にも一時記憶される。ここに記憶されたデータは、設定スイッチ２６の条件設定によりＣＰＵ２３の制御により、Ｉ／ＯＩ／Ｆ３１に与えられ、通信Ｉ／Ｆ３２を経由して他の機器へ通信される。このときの通信とは有線通信及び無線通信を問わない。ＳＤＲＡＭ−Ｂ１０は同じデータをメモリＩ／ＦとＩ／ＯＩ／Ｆ３１という複数のＩ／Ｆへ渡す場合に有効となる。
【００７７】
設定スイッチ２６によるプリセット条件が０．５秒ごとの連写に設定されている場合は、撮像シャッタースイッチ２７が押されている間、０．５秒ごとに１フレームずつメモリカードＩ／Ｆ２４からメモリカード２５に記録する。と同時にビデオデコーダ２８によりモニタ２０に０．５秒ごとに表示する。また０．５秒ごとに通信により他の機器に送信される。
【００７８】
次に設定スイッチ２６によるプリセット条件が、高解像度静止画モードのときは、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５もリサイズ処理をしない。これによりＣＣＤの元画素に相当する高解像度の画素をそのままＪＰＥＧビデオエンコーダ１８によりメモリカードＩ／Ｆ２４経由でメモリカード２５へ１フレーム記録する。なおモニタ表示する際において、その解像度を表示できない場合はＣＰＵ２３の指示によりビデオデコーダ２８においてデコードして表示する。また他の機器に通信される。
【００７９】
次に設定スイッチ２６によるプリセット条件が、２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これによりＣＣＤの元画素に相当する高解像度の画素の縦及び横の２倍にリサイズをして、ＪＰＥＧビデオエンコーダ１８によりメモリカードＩ／Ｆ２４経由でメモリカード２５へ１フレーム記録する。なおモニタ表示する際において、その解像度をそのまま表示できない場合はＣＰＵ２３によりビデオデコーダ２８において解像度変換しながらデコードする。また他の機器へ１フレーム通信される。
【００８０】
このようにＳＤＲＡＭ−Ａはライト１回、リード１回及びＳＤＲＡＭ−Ｂもライト１回、リード１回となるので低速の外部メモリを使用することができる。なお水平垂直リサイズ処理５においてはワーク内蔵メモリを使用する。このメモリは高速で、容量が小さく、消費電力が少ないメモリで例えばＳＲＡＭにより構成され、撮像入力処理２、水平リサイズフィルタ３、色処理部４、水平垂直リサイズフィルタ５、ＣＰＵ２３、ビデオエンコーダ１８、メモリカードＩ／Ｆ２４、ＴＧ２１、ＳＧ２２と同じＬＳＩ内部に構成することができる。またＣＣＤ１の代わりにＣＭＯＳによる撮像素子を使用すると、撮像素子１も含めてすべて１つのＬＳＩ、つまりシステムＬＳＩとして構成することができる。
【００８１】
またＳＤＲＡＭ−Ｂ１０によりエンコードされたデータを一時記憶し、通信に適した時間調整をしたのち、ＳＤＲＡＭ−Ｂ１０から通信に与えることもできる。
【００８２】
（実施の形態６）
本発明の動画撮像モードにおける撮像信号処理の一実施の形態を示す。図５は本発明の動画撮像モードにおける信号処理ブロック構成図である。図６は動画撮像モードにおける信号処理を示す。まず構成を説明する。
【００８３】
構成はビデオエンコーダ１８とビデオデコーダ２８が動画処理用の例えばＭＰＥＧ２又はＭＰＥＧ４であることを除けば実施の形態５と同じであるので説明は省略する。
【００８４】
次に動作を説明する。動作原理は実施の形態５において、ビデオエンコーダ１８が動画エンコーダの例えばＭＰＥＧ２又はＭＰＥＧ４エンコーダであることと、動画デコーダがＭＰＥＧ２又はＭＰＥＧ４デコーダであること、及び扱われる信号が静止画でなく、すべて動画になる点が異なるが、他は同様であるので省略する。
【００８５】
（実施の形態７）
本発明の静止画映像モードにおける映像信号処理の一実施の形態を示す。図７は本発明の静止画映像モードにおける信号処理ブロック構成図である。図８は静止画映像モードにおける信号処理を示す。まず構成を説明する。
【００８６】
構成は実施の形態５においてＣＣＤ１と撮像入力処理２と色処理４が削除され、代わりに、映像入力装置７と映像出力装置８が追加された構成である。
【００８７】
次に動作を説明する。
【００８８】
動作も実施の形態５におけるＣＣＤ１入力の代わりに、実施の形態３における映像入力装置７による入力を処理する点と、その映像を即出力する映像出力装置８による信号処理が変更されただけであり、他は実施の形態５及び３と同様であるので説明は省略する。
【００８９】
（実施の形態８）
本発明の動画映像モードにおける映像信号処理の一実施の形態を示す。図７は本発明の動画映像モードにおける信号処理ブロック構成図である。図８は動画映像モードにおける信号処理を示す。まず構成を説明する。
【００９０】
構成はビデオエンコーダ１８とビデオデコーダ２８が動画処理用の例えばＭＰＥＧ２又はＭＰＥＧ４であることを除けば実施の形態７と同じであるので説明は省略する。
【００９１】
次に動作を説明する。動作原理は実施の形態７において、ビデオエンコーダ１８が動画エンコーダの例えばＭＰＥＧ２又はＭＰＥＧ４エンコーダであることと、動画デコーダがＭＰＥＧ２又はＭＰＥＧ４デコーダであること、及び扱われる信号が静止画でなく、すべて動画になる点が異なるが、他は同様であるので省略する。
【００９２】
（実施の形態９）
本発明の静止画撮像モードにおける撮像信号処理の一実施の形態を示す。図９は本発明の静止画撮像モードにおける信号処理ブロック構成図である。図１０は静止画撮像モードにおける信号処理を示す。まず構成を説明する。
【００９３】
実施の形態５において、ＳＤＲＡＭ−Ａ９とＳＤＲＡＭ−Ｂ１０と２つのＳＤＲＡＭを使用していたが、これを１つのＳＤＲＡＭ１６とそのメモリ制御３４のみで構成している。それ以外は実施の形態５と同様であるので説明は省略する。
【００９４】
次に動作を説明する。
【００９５】
まず設定スイッチ２６によるプリセット条件が低解像度の静止画及び中解像度の静止画に設定されている場合を説明する。ＣＣＤ１からの入力源信号はＭ列Ｎ行で１秒あたりＱフレームの動画ＲＧＢ信号である。このとき図１０に示すように撮像動画信号１ｓにおける１フレームのデータ量はＭ×Ｎ×３ＲＧＢとなる。この撮像動画信号１ｓは撮像入力処理２によりノイズ除去＆ゲイン制御１２とＡ／Ｄ変換１３とＲＧＢからＹＵＶへの変換２９が行われ、水平リサイズフィルタ３へ入る。ＲＧＢからＹＵＶへの変換２９においてはＲＧＢ信号をＹＵＶ信号４：２：２にＩＴＵ−Ｒ  ＢＴ．６０１の規格にしたがって変換する。なおＣＣＤが補色ＣＣＤの場合はＲＧＢ補色に対してＹＵＶ変換を行う。この水平フィルタ３は水平方向に対してｍ列（Ｍ／２≦ｍ≦Ｍ）にリサイズする。この水平リサイズフィルタはＭ／２以上に限定しているので、遮断周波数が全帯域の１／２倍以上になる。したがってこのフィルタをかけても、折り返しノイズが発生することはない。そのデータはリアルタイムにＳＤＲＡＭ１６に一時記憶される。これによりＣＣＤ１からの入力をＳＤＲＡＭ１６にリアルタイムですべて一時記憶し、その後、ＳＤＲＡＭ１６からノンリアルタイムにデータを読み出すことができる。信号３ｓはＳＤＲＡＭ１６に一時記憶される。このとき生の信号１ｓはｎ個の短冊状のエリアに分割し、そのエリアごとに水平リサイズしてＳＤＲＡＭに記憶する。例えば１６００列１２００行の生信号１ｓの場合は、ｎ＝３とし、エリア１を５４４列１２００行、エリア２を５４４列１２００行、エリア３を５４４列１２００行とする。生の信号１ｓにおいて、エリア１とエリア２の境目１６列、及びエリア２とエリア３の境目１６列は重複するようにして信号３ｓにおいてそれぞれのエリアにデータを重複記憶する。これにより、リサイズ後のエリアの境目をシームレスに接続することができる。さらにＳＤＲＡＭ１６へ記憶する際には、バーストアドレスの後方に詰めて記憶し、バーストアドレスの前方は空にしておく。
【００９６】
次にＳＤＲＡＭ１６から必要なアドレスのデータを読み出し、色信号処理４において人間の色感度にあわせるためにγ補正が行われ、水平垂直リサイズ変換フィルタ５に入る。この水平垂直リサイズフィルタ５は、外部メモリを使用せずに、水平信号を処理する入力用ピクセルバッファと出力用ピクセルバッファ、及び垂直信号を処理する入力用ラインバッファと出力用ラインバッファというワークメモリ６のみで行う。次にビデオエンコーダ１８により例えばＪＰＥＧへのエンコーダが行われる。こうしてエンコードされたＪＰＥＧデータは設定スイッチ２６によるプリセット条件と撮像シャッタースイッチ２７を押されたトリガ信号により、ＣＰＵ２３が制御信号をメモリカードＩ／Ｆ２４に送りＩ／Ｆをアクティブにすることによりメモリカード２５に１フレームの静止画を記録する。また同時にＳＤＲＡＭ１６にもう一度一時記憶される。このとき、ＳＤＲＡＭに上述のように空けておいたバーストアドレスの前方から一時記憶させる。このようにして、ＳＤＲＡＭ１６の読み出される空間と書きこまれる空間を空き空間だけずらせてバーストアクセスすることにより、ＳＤＲＡＭ１６を一つのデバイスで構成できるとともに効率的にメモリを使用することができ、ＳＤＲＡＭ１６の容量を削減することができる。
【００９７】
またビデオエンコーダ１８から出力されたデータはビデオデコーダ２８によりモニタ２０の解像度にデコードされてモニタ２０に表示することができる。
【００９８】
ＳＤＲＡＭ１６に一時記憶されていたＪＰＥＧデータは、設定スイッチ２６の条件設定によりＣＰＵ２３の制御により、Ｉ／ＯＩ／Ｆ３１に与えられ、通信Ｉ／Ｆ３２を経由して他の機器へ通信される。このときの通信とは有線通信及び無線通信を問わない。ＳＤＲＡＭ１６は同じデータをメモリＩ／ＦとＩ／ＯＩ／Ｆ３１という複数のＩ／Ｆへ渡す場合に有効となる。
【００９９】
設定スイッチ２６によるプリセット条件が０．５秒ごとの連写に設定されている場合は、撮像シャッタースイッチ２７が押されている間、０．５秒ごとに１フレームずつメモリカードＩ／Ｆ２４からメモリカード２５に記録する。と同時にビデオデコーダ２８によりモニタ２０に０．５秒ごとに表示する。また０．５秒ごとに通信により他の機器に送信される。
【０１００】
次に設定スイッチ２６によるプリセット条件が、高解像度静止画モードのときは、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５もリサイズ処理をしない。これによりＣＣＤの元画素に相当する高解像度の画素をそのままＪＰＥＧビデオエンコーダ１８によりメモリカードＩ／Ｆ２４経由でメモリカード２５へ１フレーム記録する。なおモニタ表示する際において、その解像度を表示できない場合はＣＰＵ２３によりビデオデコーダ２８において解像度変換しながらデコードする。また他の機器に通信される。
【０１０１】
次に設定スイッチ２６によるプリセット条件が、２倍ズームである場合、ＣＰＵ２３の指示により、水平リサイズフィルタ３はリサイズ処理をしない。つまりｍ列（ｍ＝Ｍ）のまま信号をスルーさせる。その信号は色処理４の後、水平垂直リサイズフィルタ５により２倍拡大リサイズ処理をする。これによりＣＣＤの元画素に相当する高解像度の画素の縦及び横の２倍にリサイズをして、ＪＰＥＧビデオエンコーダ１８によりメモリカードＩ／Ｆ２４経由でメモリカード２５へ１フレーム記録する。なおモニタ表示する際において、その解像度をそのまま表示できない場合はＣＰＵ２３によりビデオデコーダ２８においてデコードして、モニタ２０に表示する。また他の機器へ１フレーム通信される。
【０１０２】
このようにＳＤＲＡＭ１６はライト２回、リード２回操作される。
【０１０３】
なお水平垂直リサイズ処理５においてはワークメモリを使用する。このメモリは高速で、容量が小さく、消費電力が少ないメモリで例えばＳＲＡＭにより構成され、撮像入力処理２、水平リサイズフィルタ３、色処理部４、水平垂直リサイズフィルタ５、ＣＰＵ２３、ビデオエンコーダ１８、メモリカードＩ／Ｆ２４、ＴＧ２１、ＳＧ２２と同じＬＳＩ内部に構成することができる。またＣＣＤ１の代わりにＣＭＯＳによる撮像素子を使用すると、撮像素子１も含めてすべて１つのＬＳＩ、つまりシステムＬＳＩとして構成することができる。
【０１０４】
（実施の形態１０）
本発明の動画撮像モードにおける撮像信号処理の一実施の形態を示す。図９は本発明の動画撮像モードにおける信号処理ブロック構成図である。図１０は動画撮像モードにおける信号処理を示す。まず構成を説明する。
【０１０５】
構成はビデオエンコーダ１８とビデオデコーダ２８が動画処理用の例えばＭＰＥＧ２又はＭＰＥＧ４であることを除けば実施の形態９と同じであるので説明は省略する。
【０１０６】
次に動作を説明する。動作原理は実施の形態９において、ビデオエンコーダ１８が動画エンコーダの例えばＭＰＥＧ２又はＭＰＥＧ４エンコーダであることと、動画デコーダがＭＰＥＧ２又はＭＰＥＧ４デコーダであること、及び扱われる信号が静止画でなく、すべて動画になる点が異なるが、他は同様であるので省略する。
【０１０７】
（実施の形態１１）
本発明の静止画映像モードにおける撮像信号処理の一実施の形態を示す。図１１は本発明の静止画映像モードにおける信号処理ブロック構成図である。図１２は静止画映像モードにおける信号処理を示す。まず構成を説明する。
【０１０８】
実施の形態８において、ＳＤＲＡＭ−Ａ９とＳＤＲＡＭ−Ｂ１０と２つのＳＤＲＡＭを使用していたが、これを１つのＳＤＲＡＭ１６のみで構成している。それ以外は実施の形態８と同様であるので説明は省略する。
【０１０９】
次に動作を説明する。
【０１１０】
動作も実施の形態８におけるＣＣＤ１入力の変わりに、実施の形態３における映像入力装置７とその映像を即出力する映像出力装置８による信号処理が追加されただけであり、他は実施の形態８及び３と同様であるので説明は省略する。
【０１１１】
（実施の形態１２）
本発明の動画映像モードにおける映像信号処理の一実施の形態を示す。図１１は本発明の動画映像モードにおける信号処理ブロック構成図である。図１２は動画映像モードにおける信号処理を示す。まず構成を説明する。
【０１１２】
構成はビデオエンコーダ１８とビデオデコーダ２８が動画処理用の例えばＭＰＥＧ２又はＭＰＥＧ４であることを除けば実施の形態１１と同じであるので説明は省略する。
【０１１３】
次に動作を説明する。動作原理は実施の形態１１において、ビデオエンコーダ１８が動画エンコーダの例えばＭＰＥＧ２又はＭＰＥＧ４エンコーダであることと、動画デコーダがＭＰＥＧ２又はＭＰＥＧ４デコーダであること、及び扱われる信号が静止画でなく、すべて動画になる点が異なるが、他は同様であるので省略する。
【０１１４】
【発明の効果】
以上のように本発明によれば、静止画及び動画の映像信号に対し、ＳＤＲＡＭへの一時記憶をせずに撮像信号処理及び映像信号処理を行うことでＳＤＲＡＭアクセスに必要な消費電力を削減することと高速に信号処理できること、さらにどうしてもＳＤＲＡＭを使用する場合はそのアクセス回数を低減して、外部ＳＤＲＡＭの容量を削減及び消費電流を削減できるという効果がある。
【図面の簡単な説明】
【図１】本発明の実施の形態１，２における静止画撮像モードにおける信号処理ブロック図
【図２】本発明の実施の形態１，２における静止画撮像モードにおける信号変換処理を示す図
【図３】本発明の実施の形態３，４における静止画映像モードにおける信号処理ブロック図
【図４】本発明の実施の形態３，４における静止画映像モードにおける信号変換処理を示す図
【図５】本発明の実施の形態５，６における静止画撮像モードにおける信号処理ブロック図
【図６】本発明の実施の形態５，６における静止画撮像モードにおける信号変換処理を示す図
【図７】本発明の実施の形態７，８における静止画映像モードにおける信号処理ブロック図
【図８】本発明の実施の形態７，８における静止画映像モードにおける信号変換処理を示す図
【図９】本発明の実施の形態９，１０における静止画撮像モードにおける信号処理ブロック図
【図１０】本発明の実施の形態９，１０における静止画撮像モードにおける信号変換処理を示す図
【図１１】本発明の実施の形態１１，１２における静止画映像モードにおける信号処理ブロック図
【図１２】本発明の実施の形態１１，１２における静止画映像モードにおける信号変換処理を示す図
【図１３】従来例における撮像信号処理のブロック図
【符号の説明】
１  ＣＣＤ撮像素子
１ｓ  ＣＣＤ撮像出力信号
２  撮像入力処理
２ｓ  撮像入力処理出力信号
３  水平リサイズフィルタ
３ｓ  水平リサイズフィルタ出力信号
４  色処理
４ｓ  色処理出力信号
５  水平垂直リサイズフィルタ
５ｓ  水平垂直リサイズフィルタ出力信号
６  水平垂直リサイズフィルタワークメモリ
７  映像入力装置
７ｓ  映像入力装置出力信号
８  映像出力装置
９  ＳＤＲＡＭ−Ａ
９ｓ  ＳＤＲＡＭ−Ａ信号出力
１０  ＳＤＲＡＭ−Ｂ
１２  ＣＤＳ／ＡＧＣ（相関二重サンプリング／自動ゲイン制御）
１３  Ａ／Ｄ（Ａ／Ｄコンバータ）
１４  信号処理
１５  メモリ制御
１６  ＳＤＲＡＭ
１７  キャラクタジェネレータ
１８  ビデオエンコーダ（静止画用、動画用）
１９  ＪＰＥＧコーディック
２０  モニタ
２１  ＴＧ（タイミングジェネレータ）
２２  ＳＧ（シグナルジェネレータ）
２３  ＣＰＵ
２４  メモリカードＩ／Ｆ
２５  メモリカード
２６  設定スイッチ（又は設定メニュー）
２７  撮像シャッタースイッチ
２８  ビデオデコーダ（静止画用、動画用）
２９  ＲＧＢからＹＵＶ変換
３０  ＹＵＶからＲＧＢ変換
３１  Ｉ／Ｏインターフェース（Ｉ／ＯＩ／Ｆと略す）
３２  通信Ｉ／Ｆ
３３Ａ  メモリ制御
３３Ｂ  メモリ制御
３４  メモリ制御
【図１】
2004356974.tif 000003
【図２】
2004356974.tif 000004
【図３】
2004356974.tif 000005
【図４】
2004356974.tif 000006
【図５】
2004356974.tif 000007
【図６】
2004356974.tif 000008
【図７】
2004356974.tif 000009
【図８】
2004356974.tif 000010
【図９】
2004356974.tif 000011
【図１０】
2004356974.tif 000012
【図１１】
2004356974.tif 000013
【図１２】
2004356974.tif 000014
【図１３】
2004356974.tif 000015